(57)【要約】【課題】外観意匠に優れる遊技台を提供する。【解決手段】透光性を有する上ランプカバー７６０は、前面扉を構成するユニット本体７１０と向き合う内端面の縁部から、ユニット本体７１０に向って延出するように形成した係止片部７７０を備え、ユニット本体７１０は、開口部７２０と、係止片部７７０が係止する係止部７２１と、第１ベース面部７３０と、上ランプカバー７６０の内面に当接する当接面７４１と上ランプカバー７６０に形成された係止片部７７０の近傍に位置するように上ランプカバー７６０の内面から離隔して設けられた離隔面７４２とで構成されて当接面７４１と離隔面７４２との間の面をなだらかな面で形成した第２ベース面部７４０と、を備え、この第２ベース面部７４０部の当接面７４１は、第１係止片部７７０と第２係止片部７７０との間の上ランプカバー７６０の内面に当接する。【選択図】図５
2008237694.tif 000002
【特許請求の範囲】
【請求項１】
本体に開閉自在に取り付けられた前面扉に、透光性を有するカバー体を備える遊技台であって、
前記カバー体は、前記前面扉を構成する前面扉本体と向き合う内端面の縁部から、前記前面扉本体に向って延出するように形成した係止片部を備え、
前記前面扉本体は、
前記係止片部が入り込むように開口した開口部と、
前記開口部から入り込んだ前記係止片部が係止する係止部と、
前記開口部を形成した第１ベース面部と、
前記第１ベース面部の縁部から起立し前記カバー体の内面に当接する当接面と、前記カバー体に形成された前記係止片部の近傍に位置するように前記カバー体の内面から離隔して設けられた離隔面と、で構成され、前記当接面と前記離隔面との間の面をなだらかな面で形成した第２ベース面部と、
を備えたことを特徴とする遊技台。
【請求項２】
請求項１に記載の遊技台であって、
前記カバー体の前記縁部には、前記第１係止片部と、該第１係止片部から所定距離を隔てて第２係止片部と、を形成し、
前記第２ベース面部の前記当接面は、前記第１係止片部と、前記第２係止片部との間の前記カバー体の内面に当接することを特徴とする遊技台。
【請求項３】
請求項１または２に記載の遊技台であって、
前記前面扉本体は、略矩形に形成した前記第１ベース面部と、前記第１ベース面部の一縁部から延出する前記第２ベース面部と、前記第２ベース面部が延出する縁部に対向する縁部から延出する第３ベース面部と、を備え、
前記第３ベース面部の外面と前記カバー体の外面とが均一面となるように形成したことを特徴とする遊技台。
【請求項４】
請求項１ないし３のいずれかに記載の遊技台であって、
前記カバー体は、横幅方向の略中央部分を前方側へ凹ませた凹体形状であり、前記前面扉本体は、前記凹体形状の前記カバー体に当接して嵌まり込む前記第２ベース面部を含む凸体形状であることを特徴とする遊技台。
【請求項５】
請求項１ないし４のいずれかに記載の遊技台であって、
前記カバー体は、前記係止片部の近傍の内面および外面を平滑面で形成したことを特徴とする遊技台。
【請求項６】
請求項１ないし５のいずれかに記載の遊技台であって、
複数種類の絵柄が施された複数のリールと、
前記複数のリールの回転を開始させる前記操作部の一つとしてのスタートスイッチと、
前記複数のリールそれぞれに対応して設けられ、前記リールの回転を個別に停止させる前記操作部の一つとしてのストップスイッチと、
予め定められた複数種類の入賞役の内部当選の当否を抽選により判定する抽選手段と、
停止時の前記複数のリールにより表示された絵柄の組合せが、前記抽選手段により内部当選した入賞役の絵柄組合せであるか否かにより当該入賞役への入賞を判定する判定手段と、
を備え、
前記前面扉の上部に発光体を配置し、前記カバー体は前記発光体を覆うようにしたことを特徴とする遊技台。
【発明の詳細な説明】
【技術分野】
【０００１】
本発明は、スロットマシン（パチスロ）、パチンコ機に代表される遊技台に関し、詳しくは、外観意匠の優れた遊技台に関するものである。
【背景技術】
【０００２】
遊技台の一つとして、例えばスロットマシンが従来より知られている。このスロットマシンは、一般に、本体に対して開閉可能に設けた前面扉に、遊技の興趣を高めるために、様々な電飾部材を取り付けている。
【０００３】
電飾部材は、ＬＥＤ等のランプを配置したベースとなる部材の前面に、透光性を有し種々のカットが施されたプラスチックのレンズ部材を配置している。このレンズ部材のカットを介してランプの発光が拡散し、電飾効果を高めている。
【０００４】
電飾部材を遊技台の前面に配置する場合、レンズ部材をネジ等の固定具で固定することが考えられるが、遊技者に視認される部材であるので、固定具が露出されるものはデザイン性に優れるものとは言い難い。
【０００５】
そこで、従来から、カバー部材の固定手段の一例として、透光性を有するカバー部材に弾性係止片を設け、この弾性係止片をベースとなる部材の係合孔に係止させてワンタッチでカバー部材を装着させることが可能な遊技台が、例えば、特許文献１に開示されている。
【０００６】
【特許文献１】特開２００１−３７９６０号公報
【発明の開示】
【発明が解決しようとする課題】
【０００７】
しかしながら、カバー部材が取り付けられた後にあっては、弾性係止片の一部が、当該カバー部材が透光性を有するものであることから、カバー部材の一部を介して遊技者に視認可能な状態になっている。つまり、係合部が丸見えの状態にあり、外観意匠が損なわれてしまう問題があった。
【０００８】
そこで、例えば、図１０に示すように、上部演出ユニット８００を構成するレンズ部材８１０およびベース部材８２０に弾性係止片８７０を適用すると、図１０（ｃ）に示すように、金型８３０Ａを前方に、金型８３０Ｂを後方へ移動させて、ベース部材８２０を取り出し、金型８３０Ｃを前方に、金型８３０Ｄを後方へ移動させて、レンズ部材８１０を取り出した場合、図１０（ａ）、（ｂ）に示すように弾性係止片８７０を設けた周辺部、または、弾性係止片８７０を係止する係止孔の周辺部に、金型の移動方向に段差線８１１、８２１を生成させてしまうことがある。このような段差線８１１、８２１は、透光性を有するカバー部材を通して外観視可能になる。一方、金型を細分化することにより、他の方向に、例えば上下方向への型抜きを可能に構成しても、型抜き時に、型抜きの痕跡が残ってしまう。このため、従来の成型では、結局、見栄えの悪いものになってしまっていた。
【０００９】
また、ネジ止めする場合には、例えば図１１に示すように、ベース部材８２０には、取付ボス８２２が設けられ、このボス８２２にネジをねじ込んで、該当する部材を固定するようになっていた。このため、成型時にボス８２２の部分に、所謂「ひけ」が発生していた。従って、この「ひけ」が外観上の欠点となってしまうことがあった。
【００１０】
更に、従来のレンズ部材８１０が透光性を有する素材によって形成されている場合には、ネジ止め部分を外部から視認することが可能であった。言い換えると、ネジ止め部分が、外部から分ってしまい、体裁の悪いものであった。
【００１１】
そして、従来のレンズ部材８１０とベース部材８２０とにおいて、両者を重ね合わせて上部演出ユニット８００を構成した場合に、ベース部材８２０の上面部分と、レンズ部材８１０の上面部分との間に隙間が存在している状態で、遊技者等によって、上方から負荷がかけられると、容易に変形してしまっていた。即ち、従来の構成では、変形し易い、或いは最悪の場合に破損してしまうという問題点があった。
【００１２】
本発明は、上記のような問題点に鑑み、外観意匠に優れる遊技台を提供することを目的とする。
【課題を解決するための手段】
【００１３】
前記課題を解決するために、請求項１に係る発明は、本体に開閉自在に取り付けられた前面扉に、透光性を有するカバー体を備える遊技台であって、前記カバー体は、前記前面扉を構成する前面扉本体と向き合う内端面の縁部から、前記前面扉本体に向って延出するように形成した係止片部を備え、前記前面扉本体は、前記係止片部が入り込むように開口した開口部と、前記開口部から入り込んだ前記係止片部が係止する係止部と、前記開口部を形成した第１ベース面部と、前記第１ベース面部の縁部から起立し前記カバー体の内面に当接する当接面と、前記カバー体に形成された前記係止片部の近傍に位置するように前記カバー体の内面から離隔して設けられた離隔面と、で構成され、前記当接面と前記離隔面との間の面をなだらかな面で形成した第２ベース面部と、を備えたことを特徴とする。
【００１４】
請求項２に係る発明は、請求項１に記載の遊技台であって、前記カバー体の前記縁部には、前記第１係止片部と、該第１係止片部から所定距離を隔てて第２係止片部と、を形成し、前記第２ベース面部の前記当接面は、前記第１係止片部と、前記第２係止片部との間の前記カバー体の内面に当接することを特徴とする。
【００１５】
請求項３に係る発明は、請求項１または２に記載の遊技台であって、前記前面扉本体は、略矩形に形成した前記第１ベース面部と、前記第１ベース面部の一縁部から延出する前記第２ベース面部と、前記第２ベース面部が延出する縁部に対向する縁部から延出する第３ベース面部と、を備え、前記第３ベース面部の外面と前記カバー体の外面とが均一面となるように形成したことを特徴とする。
【００１６】
請求項４に係る発明は、請求項１ないし３のいずれかに記載の遊技台であって、前記カバー体は、横幅方向の略中央部分を前方側へ凹ませた凹体形状であり、前記前面扉本体は、前記凹体形状の前記カバー体に当接して嵌まり込む前記第２ベース面部を含む凸体形状であることを特徴とする。
【００１７】
請求項５に係る発明は、請求項１ないし４のいずれかに記載の遊技台であって、前記カバー体は、前記係止片部の近傍の内面および外面を平滑面で形成したことを特徴とする。
【００１８】
請求項６に係る発明は、請求項１ないし５のいずれかに記載の遊技台であって、複数種類の絵柄が施された複数のリールと、前記複数のリールの回転を開始させる前記操作部の一つとしてのスタートスイッチと、前記複数のリールそれぞれに対応して設けられ、前記リールの回転を個別に停止させる前記操作部の一つとしてのストップスイッチと、予め定められた複数種類の入賞役の内部当選の当否を抽選により判定する抽選手段と、停止時の前記複数のリールにより表示された絵柄の組合せが、前記抽選手段により内部当選した入賞役の絵柄組合せであるか否かにより当該入賞役への入賞を判定する判定手段と、を備え、前記前面扉の上部に発光体を配置し、前記カバー体は前記発光体を覆うようにしたことを特徴とする。
【発明の効果】
【００１９】
本発明によれば、前面扉とカバー体との取付部分を外部から視認することが困難な、外観意匠に優れた遊技台を提供することができる。また、取付が容易で取付強度も充分である。即ち、透光性を有して外部から視認可能な部材であっても、取り付けのための係止片部及び開口部の存在を視認することが困難で、係止片部及び開口部の存在が遊技台の体裁を損なうことがない。
【００２０】
また、ネジ止めを行なうことなく、カバー体を前面扉に取り付けることが可能であり、カバー体が透光性を有する素材によって形成されている場合であっても、ネジ止め部分が、外部から分ってしまい体裁を損なうことがない。更に、ネジを締め込むためのボスが必要ないので、成型時にボスに起因する「ひけ」が生じることがなく、外観意匠に優れた成型が可能である。
【００２１】
そして、カバー体と前面扉とを重ね合わせた状態で、遊技者等によって、負荷が掛けられても、変形したり破損してしまうことがない。
【発明を実施するための最良の形態】
【００２２】
以下、本発明の実施形態について図面を参照して説明する。図１は本発明の一実施形態に係るスロットマシン１００の斜視図である。
【００２３】
＜全体の構成＞
図１に示すスロットマシン１００は、本体１０１と、この本体１０１の正面に取付けられ、当該本体１０１に対して開閉可能な前面扉１０２とを備える。本体１０１の中央内部には、図示していないが、外周面に複数種類の絵柄が配置されたリールが３個（左リール、中リール、右リール）収納され、スロットマシン１００の内部で回転できるように構成されている。これらのリールはステッピングモータ等の駆動手段により回転駆動される。
【００２４】
本実施形態において、各絵柄は、図示していない帯状部材に等間隔で適当数印刷され、この帯状部材が所定の円形筒状の枠材に貼り付けられて各リールが構成されている。リール上の絵柄は、遊技者から見ると、絵柄表示窓１１３から縦方向に概ね３つ表示され、合計９つの絵柄が見えるようになっている。そして、各リールを回転させることにより、遊技者から見える絵柄の組み合せが変動することとなる。つまり、各リールは複数種類の絵柄の組合せを変動可能に表示する表示手段として機能する。なお、このような表示手段としてはリール以外にも液晶表示装置等の電子画像表示装置も採用できる。また、本実施形態では、３個のリールをスロットマシン１００の中央内部に備えているが、リールの数やリールの設置位置はこれに限定されるものではない。
【００２５】
各々のリールの背面には、絵柄表示窓１１３に表示される個々の絵柄を照明するためのバックライト（図示省略）が配置されている。バックライトは、各々の絵柄ごとに遮蔽されて個々の絵柄を均等に照射できるようにすることが望ましい。なお、スロットマシン１００内部において各々のリールの近傍には、投光部と受光部から成る光学式センサ（図示省略）が設けられており、この光学式センサの投光部と受光部の間をリールに設けられた一定の長さの遮光片が通過するように構成されている。このセンサの検出結果に基づいてリール上の絵柄の回転方向の位置を判断し、目的とする絵柄が入賞ライン上に表示されるようにリールを停止させる。
【００２６】
入賞ライン表示ランプ１２０は、有効となる入賞ラインを示すランプである。有効となる入賞ラインは、遊技媒体としてベットされたメダルの数によって予め定まっている。入賞ラインは５ラインあり、例えば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。なお、入賞ラインの数については５ラインに限定されるものではない。
【００２７】
告知ランプ１１４は、例えば、内部抽選において特定の入賞役（具体的には、ボーナス）に内部当選していること、または、ボーナス遊技中であることを遊技者に知らせるランプである。遊技メダル投入可能ランプ１２４は、遊技者が遊技メダルを投入可能であることを知らせるためのランプである。再遊技ランプ１２２は、前回の遊技において入賞役の一つである再遊技に入賞した場合に、今回の遊技が再遊技可能であること（メダルの投入が不要）を遊技者に知らせるランプである。リールパネルランプ１２３は演出用のランプである。
【００２８】
ベットボタン１３０乃至１３２は、スロットマシン１００に電子的に貯留されているメダル（クレジットという。）を所定の枚数分投入するためのボタンである。本実施形態においては、ベットボタン１３０が押下される毎に１枚ずつ最大３枚まで投入され、ベットボタン１３１が押下されると２枚投入され、ベットボタン１３２が押下されると３枚投入されるようになっている。以下、ベットボタン１３２はＭＡＸベットボタンとも言う。なお、遊技メダル投入ランプ１２９は、投入されたメダル数に応じた数のランプを点灯させ、規定枚数のメダルの投入があった場合、遊技の開始操作が可能な状態であることを知らせる遊技開始ランプ１２１が点灯する。
【００２９】
メダル投入口１４１は、遊技を開始するにあたって遊技者がメダルを投入するための投入口である。すなわち、メダルの投入は、ベットボタン１３０乃至１３２により電子的に投入することもできるし、メダル投入口１４１から実際のメダルを投入（投入操作）することもでき、投入とは両者を含む意味である。貯留枚数表示器１２５は、スロットマシン１００に電子的に貯留されているメダルの枚数を表示するための表示器である。表示器１２６は、各種の内部情報（例えば、ボーナス遊技中のメダル払出枚数）を数値で表示するための表示器である。払出枚数表示器１２７は、何らかの入賞役に入賞した結果、遊技者に払出されるメダルの枚数を表示するための表示器である。
【００３０】
スタートレバー１３５は、リールの回転を開始させるためのレバー型のスイッチである。即ち、メダル投入口１４１に所望するメダル枚数を投入するか、ベットボタン１３０乃至１３２を操作して、スタートレバー１３５を操作すると、リールが回転を開始することとなる。スタートレバー１３５に対する操作を遊技の開始操作と言う。
【００３１】
ストップボタンユニット１３６には、ストップボタン１３７乃至１３９が設けられている。ストップボタン１３７乃至１３９は、スタートレバー１３５の操作によって回転を開始したリールを個別に停止させるためのボタン型のスイッチであり、各リールに対応づけられている。以下、ストップボタン１３７乃至１３９に対する操作を停止操作と言い、最初の停止操作を第１停止操作、次の停止操作を第２停止操作、最後の停止操作を第３停止操作という。なお、各ストップボタン１３７乃至１３９の内部に発光体を設けてもよく、ストップボタン１３７乃至１３９の操作が可能である場合、該発光体を点灯させて遊技者に知らせることもできる。
【００３２】
メダル返却ボタン１３３は、投入されたメダルが詰まった場合に押下してメダルを取り除くためのボタンである。精算ボタン１３４は、スロットマシン１００に電子的に貯留されたメダル、ベットされたメダルを精算し、メダル払出口１４２から排出するためのボタンである。ドアキー１４０は、スロットマシン１００の前面扉１０２のロックを解除するためのキーを挿入する孔である。メダル払出口１４２は、メダルを払出すための払出口である。
【００３３】
音孔１４３はスロットマシン１００内部に設けられているスピーカの音を外部に出力するための孔である。前面扉１０２の左右各部に設けられたサイドランプ１４４は遊技を盛り上げるための装飾用のランプである。なお、サイドランプ１４４は、ユニットに構成してあり、以下、サイドランプユニット１４４ということがある。
【００３４】
＜前面扉＞
本体１０１に蝶番を介して開閉可能に蝶着される前面扉１０２は、スロットマシン１００の主要な構成部品を備えており、例えば、上方から順に、演出装置６０１や上部ランプ６０２等を含む上部演出ユニット７００、リールパネル押えアッセンブリ６２０（以下、リールパネル押えアッシー６２０ということがある）、装飾パネル６５１等を含む操作部アッシー６５０、メダル払出口１４２および音孔１４３を備えるメダル払出口パネル６３０、受皿ユニット６４０、及び左右のサイドランプユニット１４４など、種々の部品を備えている。
【００３５】
そして、前記した絵柄表示窓１１３や、入賞ライン表示ランプ１２０、遊技開始ランプ１２１、再遊技ランプ１２２、リールパネルランプ１２３、遊技メダル投入可能ランプ１２４、貯留枚数表示器１２５、内部情報表示器１２６、払出枚数表示器１２７は、リールパネル押えアッシー６２０に設けてある。
【００３６】
次に、図２を参照してスロットマシンの制御部の構成について説明する。
本実施形態における制御部は、全体を制御する主制御部３００と、遊技を盛り上げるための演出に関する制御等を遂行する副制御部４００と、演出装置６０１を制御する液晶・扉制御部（図示省略）で構成されている。
【００３７】
＜主制御部＞
マイクロプロセッサ（以下、ＭａｉｎＣＰＵと称す）３１０は、スロットマシン１００における制御の中枢となるものであり、バス３７０を介して、周辺部との間で制御信号やデータの受渡が行われる。
【００３８】
乱数発生器３１１は、内部抽選等に用いられる乱数を発生するもので、複数のカウンタ、クロック発振器、分周器及びラッチ回路等で構成される。乱数発生器３１１が発生した乱数値は、バス３７０を介して、ＲＡＭ３１３の乱数記憶領域に記憶され、必要に応じてＭａｉｎＣＰＵ３１０へ送られる。
【００３９】
ＭａｉｎＣＰＵ３１０には、入力インターフェース３６０およびバス３７０を介して、メダル投入口１４１から投入されたメダルを検知するメダルセンサ３２０、スタートレバー１３５の操作を検知するスタートレバーセンサ３２１、ストップボタン１３７〜１３９のいずれかが押された場合、どのストップボタンが押されたかを検知するストップボタンセンサ３２２、及び、メダル投入ボタン１３０，１３１，１３２のいずれかが押下された場合、どのメダル投入ボタンが押されたかを検知するメダル投入ボタンセンサ３２３、精算ボタン１３４の押下に伴って動作する精算ボタンスイッチ３２４が接続されている。
【００４０】
ＲＯＭ（リード・オンリー・メモリ）３１２は、各種制御を行うためのプログラムや、後述する各種テーブルデータ等を記憶する記憶手段の一つである。ＲＡＭ（ランダム・アクセス・メモリ）３１３は、ＭａｉｎＣＰＵ３１０によって処理されるプログラムのワークエリアを有し、可変データ等を記憶する記憶手段の一つである。
【００４１】
また、各リール１１０〜１１２の回転と停止を行うモーター（図示省略）を制御するモーター制御部３３０、及び、メダル払出装置（いわゆる、ホッパー：図示省略）を制御するホッパー制御部３３１が、入出力インターフェース３３２及びバス３７０を介してＭａｉｎＣＰＵ３１０に接続されている。
【００４２】
演出用ランプ・表示器類３４０とは、図１で示した入賞ライン表示ランプ１２０、遊技開始ランプ１２１、再遊技ランプ１２２等のランプ類や、貯留枚数表示器１２５、内部情報表示器１２６、払出枚数表示器１２７等の各種表示器をまとめて表したもので、出力インターフェース３４２およびバス３７０を介してＭａｉｎＣＰＵ３１０に接続されている。
【００４３】
出力インターフェース３５０は、ＭａｉｎＣＰＵ３１０の指示に基づき、各種のコマンドを副制御部４００の入力インターフェース４４０へ送信する。コマンドには、例えば、メダルが投入されたことを示すコマンド、スタートレバー１３５が操作されたことを示すコマンド、押されたストップボタン１３７〜１３９を示すコマンド、演出の内容（バックライト、上部ランプ６０２、音声出力、演出装置６０１等による演出の内容）を規定したコマンド等がある。
【００４４】
＜副制御部＞
マイクロプロセッサ（以下、ＳｕｂＣＰＵと称す）４１０は、主制御部３００から送信された各種コマンドを入力インターフェース４４０およびバス４３０を介して受信し、受信したコマンドの内容に応じて副制御部４００全体を制御する。
【００４５】
ＲＯＭ４１１は、副制御部４００全体を制御するためのプログラムやデータ等を記憶する記憶手段の一つである。ＲＡＭ４１２は、ＳｕｂＣＰＵ４１０で処理されるプログラムのワークエリアを有し、可変データ等を記憶する記憶手段の一つである。
【００４６】
バックライト４２０は、リールの絵柄を照らすライトで、ＳｕｂＣＰＵ４１０の指示に従って点灯／点滅／消灯する。演出用ランプ４２１は、上部ランプ６０２、サイドランプ１４４、受皿ランプ（受皿ユニット６４０に設置）をまとめて表したもので、ＳｕｂＣＰＵ４１０の指示に従って点灯／点滅／消灯する。バックライト４２０および演出用ランプ４２１は、出力インターフェース４２２を介してバス４３０を経てＳｕｂＣＰＵ４１０と接続されている。
【００４７】
出力インターフェース４５０は、ＳｕｂＣＰＵ４１０の指示に基づき、各種制御データを液晶・扉制御部（図示省略）へ送信する。この制御データに基づいて、液晶・扉制御部は、演出装置６０１を制御する。
【００４８】
楽音信号形成部４６０は、ＳｕｂＣＰＵ４１０から受け渡された制御信号やデータに基づいて、楽音信号を形成して出力する。この楽音信号は、アンプ４６１で増幅された後、スピーカ（具体的には上部スピーカ及び中央スピーカ）４６２から音として出力される。
【００４９】
＜遊技の基本的制御＞
図３は、本実施形態のスロットマシン１００における遊技の基本的制御を示すフローチャートである。
遊技の基本的制御は、ＭａｉｎＣＰＵ３１０が中心になって行い、電源断等を検知しないかぎり、同図の処理を繰り返し実行する。
【００５０】
先ず、Ｓ１０１では、メダル投入処理として、メダルの投入数に応じた入賞ライン表示ランプ１２０の点灯等を行う。なお、メダル投入ボタン１３０，１３１，１３２によるクレジットによる投入も、メダル投入口１４１から、実際のメダルを投入する場合も同等に処理する。
【００５１】
Ｓ１０２では、遊技のスタート操作に関する処理を行う。スタートレバー１３５が操作された場合、投入されたメダル枚数を確定する。次いで、Ｓ１０３では、確定されたメダル枚数に基づいて、有効な入賞ラインを確定する。
【００５２】
Ｓ１０４では、乱数発生器３１１で発生させた乱数値を取得する。
Ｓ１０５では、ＲＯＭ３１２に格納されている抽選データテーブルと、Ｓ１０４で取得した乱数値を用いて、入賞役の内部当選の当否を定める内部抽選を行う。なお、抽選データテーブルには、あらかじめ、ＢＢ、ＲＢ、小役等の抽選確率に応じたデータが格納されている。
【００５３】
Ｓ１０６では、例えば、演出装置６０１においてどのような演出を行うか決めたり、ゲームを盛り上げるためキャラクター等を登場させる、演出抽選処理を行う。
【００５４】
Ｓ１０７では、Ｓ１０４で取得した乱数値を用いて、リール停止制御テーブルを選択し、各リール１１０〜１１２の回転を開始させる。
【００５５】
Ｓ１０８では、ストップボタン１３７〜１３９の受付が可能になり、いずれかのストップボタンが押されると、押されたストップボタンに対応するリールを、Ｓ１０５で選択したリール停止制御テーブルに基づいて停止させる。
【００５６】
Ｓ１０９では、入賞判定を行う。ここでは、有効化された入賞ライン上に、入賞役に対応する絵柄組合せが表示された場合にその入賞役に入賞したと判定する。例えば、有効化された入賞ライン上に、例えば「ベル−ベル−ベル」が揃っていたならば、ベル入賞と判定する。また、例えば「青７−青７−青７」が揃っていたならば、ＢＢ入賞と判定する。
【００５７】
Ｓ１１０では、払い出しのある何らかの入賞役に入賞していれば、その入賞役に対応する枚数のメダルを払い出す。
【００５８】
Ｓ１１１では、遊技状態を制御する。例えば、ＢＢ入賞時には、次の遊技からＢＢゲームが開始されるように準備をし、ＢＢ終了時には、次の遊技から通常の遊技が開始されるように準備させる。
【００５９】
次に、透光性を有するカバー体を前面扉に体裁よく取り付ける構成を、上部演出ユニット７００に適用した場合について説明する。図４は、上部演出ユニット７００の分解斜視図であって、ユニット本体７１０に上ランプカバー７６０を取り付ける前の状態を示している。ユニット本体７１０は、合成樹脂によって一体成形された部材であって、ほゞ中央に、演出装置６０１が臨む比較的大きな開口部７１１が開設してあり、この開口部７１１の上部には、装飾用の発光体、例えば発光ダイオード（ＬＥＤ）を列設したランプベース７１２が配設され、このランプベース７１２の左右には、音孔１４３となるスピーカーが臨む開口７１３が設けてある。なお、このランプベース７１２に上ランプカバー７６０が被さって上部ランプ６０２を構成する。
【００６０】
そして、この実施形態において、ユニット本体７１０は前面扉を構成する部材であり、上ランプカバー７６０はカバー体となる部材である。そこで、ユニット本体７１０を前面扉本体、上ランプカバー７６０をカバー体ということがある。なお、上部演出ユニット７００には、図示していない前面扉のフレームに、この上部演出ユニット７００を取り付けるための取付腕７１４が突設してある。
【００６１】
カバー体である上ランプカバー７６０は、透光性を有しており、例えば透明な合成樹脂で一体成形した部材である。このカバー体は、内面および外面を平滑面として、内部を透視可能としてもよいし、所望の部位に適宜カット面を形成することにより、光が拡散するようにしてもよい。
【００６２】
また、この上ランプカバー７６０には、後述する係止片部７７０が設けてあり、ユニット本体７１０、即ち前面扉本体に対してワンタッチで着脱可能に構成してある。具体的には、上ランプカバー７６０は、前面扉本体を構成するユニット本体７１０と向き合う内端面の縁部から、ユニット本体７１０に向って係止片部７７０が延出してあり、係止片部７７０の先端には係止爪７７１が形成してある。また、この上ランプカバー７６０には、前記した音孔１４３を形成する開口７６３が左右の対応する位置に設けてある。
【００６３】
一方、前面扉本体となるユニット本体７１０は、前記した上ランプカバー７６０の係止片部７７０が入り込むように開口した開口部７２０と、この開口部７２０から入り込んだ前記係止片部７７０が係止する係止部７２１と、を備えている。この開口部７２０は、後述する第１ベース面部７３０に開設されており、この開口部７２０の縁から所定の距離だけ離れた位置に、即ち係止片部７７０の長さに対応した位置に、係止爪７７１が係止可能な係止部７２１が設けてある。具体的には、例えば図５（ｂ）示すように、後述する第３ベース面部７５０の前端側の所定範囲を厚肉に形成すると共に、この厚肉部７５１から薄肉部７５２に変換する部分に段部を形成し、この段部を係止部７２１として、係止片部７７０の係止爪７７１を係止させる。図１０（ｃ）に示す金型８３０Ｂを後方に移動させた場合には、このような厚肉部７５１および薄肉部７５２を形成することは容易である。
【００６４】
前面扉本体は、第１ベース面部７３０、第２ベース面部７４０、および第３ベース面部７５０、を備えている。即ち、ユニット本体７１０を前面扉本体とする図示の実施形態では、前記した開口部７２０を開設した部分が、第１ベース面部７３０になる。この第１ベース面部７３０は、例えば、図５（ｂ）において、係止片部７７０が入り込む開口部７２０の周囲の面、即ちカバー体の端面が当接している面が相当する。また、図５（ｃ）においても、カバー体である上ランプカバー７６０の端面が当接している面が、第１ベース面部７３０に相当する。
【００６５】
第２ベース面部７４０は、第１ベース面部７３０の一縁部から起立して、前方へ向けて延出している部分であって、カバー体の内面に当接、または離隔している。即ち、図示の実施形態においては、第１ベース面部７３０の下側の縁部から前方（図５（ｂ）及び（ｃ）において左側）に向けて延出するように形成された面が、第２ベース面部７４０となる。また、この第２ベース面部７４０においては、カバー体の内面に当接する面が当接面７４１を形成し（図５（ｃ）参照）、カバー体の内面に当接することなく離隔している面が離隔面７４２を形成している。更に、この当接面７４１と離隔面７４２との間の面は、なだらかな曲面となるように形成されている（図６（ｂ）参照）。
【００６６】
第３ベース面部７５０は、第２ベース面部７４０が延出する縁部に対向する縁部から起立して、後方へ向けて延出している部分である。即ち、図５（ｂ）及び（ｃ）においては、第１ベース面部７３０の上側の縁部から後方（図面において右側）に向けて延出するように形成された面が、第３ベース面部７５０となる。
【００６７】
そして、図示の実施形態においては、ユニット本体７１０に上ランプカバー７６０を取り付けた場合に、第３ベース面部７５０の外面と、カバー体の外面と、が均一面となるように形成してある。即ち、図５（ｂ）及び（ｃ）に示す断面図のように、第３ベース面部７５０の外面からカバー体の外面にかけて緩い湾曲面を画くように、形成されている。
【００６８】
更に、カバー体としての上ランプカバー７６０は、例えば、図４に示すように、横幅方向の略中央部分を前方側へ凹ませた凹体形状を有している。一方、この上ランプカバー７６０に対応するユニット本体７１０は、凹体形状に形成されたカバー体に当接して嵌まり込むように、前記した第２ベース面部７４０を含む凸体形状に形成されている。
【００６９】
具体的には、図４に示すように、上ランプカバー７６０の後端面を緩い円弧状に形成し、この上ランプカバー７６０が嵌まり込むユニット本体７１０の第１ベース面部７３０および第２ベース面部７４０を対応する曲面状に形成してある。このため、ユニット本体７１０と、このユニット本体７１０に装着した上ランプカバー７６０とは、互いに当接し、かつ嵌合状態になるので、上ランプカバー７６０が揺れ動くことがなく、確実に装着することができる。
【００７０】
次に、図６（ａ）は、上部演出ユニット７００を構成するユニット本体７１０の正面図、（ｂ）はＢ部の拡大図である。音孔１４３となる開口７１３の上部には、前記した第１ベース面部７３０が形成され、上ランプカバー７６０の係止片部７７０が嵌入する開口部７２０が開設してある。この開口部７２０は、係止片部７７０に設けた係止爪７７１が容易に入り込めるように係止爪７７１の高さ幅より大きな高さ幅で開口させている。この場合、第３ベース面の厚肉部７５１を肉薄にして開口部７２０の高さ幅を大きく設けることも考えられるが、厚肉部７５１の後端部に薄肉部７７０を形成することを考慮すると、ここで厚肉部７５１を薄肉にすることは強度的に好ましいものではない。よって、本実施形態においては、開口部７２０は、係止爪７７１の高さ幅より大きな高さ幅で開口させ、かつ、第３ベース面の厚肉部７５１を確保させるために、開口の高さ幅を第３ベース面の厚肉部７５１より下方に設けている。さらに、ユニット本体７１０に上ランプカバー７６０が装着された場合に、係止爪７７１を係止部７２１に係止させることから、取付移動時の係止爪７７１は、開口部７２０および厚肉部７５１を通過した後、薄肉部７５２に到達した時点で、やや上方に移動する。よって、上ランプカバー７６０を取り付けたときに、当該上ランプカバー７６０の内面との間に隙間が生じることになる。つまり、第１ベース面部７３０に設けた開口部７２０の縁部から起立した第２ベース面部７４０は、上ランプカバー７６０の内面から離隔するように設けられた離隔面７４２が形成されることとなる。
【００７１】
係止爪７７１は、取付移動の際に薄肉部７５２に到達した時点で、やや上方に移動する構成としたことから、上ランプカバー７６０の係止片部７７０を設けた周辺部に下方に力を加えると、係止爪７７１が係止部７２１から外れてしまうおそれがある。そこで、第２ベース面部７４０は、上ランプカバー７６０と離隔する離隔面７４２を設けた近傍面に上ランプカバー７６０の内面に当接する当接面７４１を設けるようにし、上ランプカバー７６０の係止片部７７０を設けた周辺部に下方に力を加えられた場合であっても、係止爪７７１が係止部７２１から外れることがないようにした。そして、離隔面７４２と当接面７４１との間に型抜きの痕跡等を残さないために、離隔面７４２の左右にはなだらかな面７４３が連なり、上ランプカバー７６０の内面に当接する当接面７４１に繋がっているように形成した。
【００７２】
図７は、上ランプカバー７６０の説明図であって、（ａ）は平面図、（ｂ）は正面図、（ｃ）は底面図、（ｄ）はＡ−Ａ線に沿った断面図である。この実施形態において、上ランプカバー７６０には、左右の上係止片部７７０が突設されると共に、左右の下係止片部７７０が突設してある。また、各係止片部７７０の先端には、係止爪７７１が形成してある。そして、この係止片部７７０は、上ランプカバー７６０から延長されているので、係止片部７７０が開口部７２０に入り込んだ場合に外部から見たときに係止片部７７０の存在がきわめて分かり難くなっている。
【００７３】
上ランプカバー７６０の下部には、案内片７６２を形成してあり、この案内片７６２が、ユニット本体７１０に開設した案内孔７１５に入り込むことにより、上ランプカバー７６０が正しい位置に案内される。
【００７４】
上係止片部７７０（Ｕ）は、上ランプカバー７６０から後方へ向けて延設されており、この上係止片部７７０（Ｕ）の付根が平滑に形成されている。なお、左右の上係止片部７７０（ＵＬ、ＵＲ）および下係止片部７７０（ＤＬ、ＤＲ）は、それぞれ前述した係止片部７７０と同じものであって、上ランプカバー７６０の一縁部から後方へ向けて延出するものである。そして、左右の上係止片部７７０（ＵＬ、ＵＲ）が、第１係止片部７７０と第２係止片部７７０とに、それぞれ相当している。また、左右の下係止片部７７０（ＤＬ、ＤＲ）には、ユニット本体７１０に開設した開口部７２３が対応し、ここに係止することになる。
【００７５】
そこで、図８に示すように、上ランプカバー７６０をユニット本体７１０に装着した状態では、上ランプカバー７６０の上面部分７６１が、手前下方に傾斜しているので、上ランプカバー７６０より低い位置で遊技する遊技者が正面から見た場合に、上ランプカバー７６０が透光性を有していても、上ランプカバー７６０の先端部と係止片部７７０が係合している開口部７２０がほぼ同一線上にあることで、係止片部７７０および開口部７２０を視認することが困難になる。
【００７６】
前記した実施形態の説明では、上ランプカバー７６０の左右に配置した第１係止片部７７０と第２係止片部７７０との間に当接面７４１を形成して、上ランプカバー７６０の内面と当接するように設定しているが、上ランプカバー７６０とユニット本体７１０とは、図９（ａ）に示すように、一部が接触していればよい。例えば、ユニット本体７１０の表面を波打つように形成し、この波の頂点が、上ランプカバー７６０の内面に接触するようにしてもよい。このように接触面積が少なくても、上ランプカバー７６０に外部からの荷重が加わることによって係止爪７７１が係止部７２１から外れることがない。
【００７７】
また、上ランプカバー７６０とユニット本体７１０とは、上面部の全体が平滑に面一に繋がっている必要はない。即ち、図９（ｂ）に示すように、接続部分が平滑になっていれば、接続部分が目立つことがなくなる。一方、上ランプカバー７６０の上面を適宜な形状に成形すれば、デザイン的に優れた形状となる。
【００７８】
カバー体は、ランプのカバーばかりではなく、例えば図９（ｃ）に示すように、役物７８１のカバー７８２とすることもできる。例えば、所定の遊技場面になったならば、自動車の模型が出現するように構成した役物７８１のカバー７８２を、前記した上ランプカバー７６０のように構成することができる。
【００７９】
この場合においても、上ランプカバー７６０に相当するカバー７８２と、ユニット本体７１０との接続箇所や、係止片部７７０の係合状態を、目立たなくすることが可能である。なお、カバー体は、レンズ部材やカバー部材ばかりではなく、遊技台を構成している部材に、広く適用することができる。
【００８０】
前記した実施形態においては、遊技台の一例として遊技媒体にメダルを用いるスロットマシンについて説明したが、本発明はこれに限定されるものではなく、例えば、遊技媒体として遊技球（例えば、パチンコ玉）を用いるスロットマシン（いわゆるパロット）やパチンコ機などにも適用可能である。
【００８１】
例えば、本発明が適用されるパチンコ機としては、所定の図柄（識別情報）を変動表示する可変表示装置を遊技盤に備え、遊技盤に設けた始動入賞口に遊技球が入って入賞することを契機として、可変表示装置が図柄を変動させた後に停止表示させて、遊技状態の推移を告知するようなパチンコ機が一例として挙げられる。
【００８２】
このようなパチンコ機では、遊技球が始動入賞口に入球すると、抽選を行い、この抽選結果が大当りであるか否かを判定する。そして、この抽選で大当たりに当選すると、可変表示装置により、特定の図柄による組合せ（大当たり図柄；例えば、７７７など）が表示され、大当たり状態に移行する。大当たり状態では、大入賞口が、例えば、所定の時間または所定の回数、開放され続けるので、遊技球は入球しやすい状態となり、遊技者にとって有利な状態が実現されるようになっている。また、特定の図柄による組合せ（大当たり図柄）が、確率変動を伴う大当たり図柄（確変図柄）である場合には、次に大当たりとなる確率が高くなり、遊技者にとってさらに有利な状態が実現される。
【００８３】
以上、本発明を図示の実施形態について説明したが、本発明は前記した各実施形態に限定されるものではなく、特許請求の範囲に記載した構成を変更しない限り適宜に実施できる。例えば、前記した実施形態では、上部演出ユニットに適用した場合を説明したが、サイドランプユニットなど、他の部材についても適用することができる。
【図面の簡単な説明】
【００８４】
【図１】遊技台の一例であるスロットマシンの斜視図である。
【図２】制御部の概略構成図である。
【図３】主制御部によるメイン処理を示すフローチャートである。
【図４】上部演出ユニットの分解斜視図である。
【図５】上部演出ユニットの正面図及び断面図、並びに一部拡大図である。
【図６】ユニット本体の正面図及び音孔周辺の拡大図である。
【図７】上ランプカバーの説明図であって、（ａ）は平面図、（ｂ）は正面図、（ｃ）は底面図、（ｄ）はＡ−Ａ線の断面図及び拡大図である。
【図８】上部演出ユニットの説明図であって、（ａ）は平面図、（ｂ）は正面図、（ｃ）は右側面図である。
【図９】（ａ）はカバー体と前面扉との嵌合状態を示す断面図、（ｂ）はカバー体と前面扉との接続状態を示す側面図、（ｃ）はカバー体を役物のカバーとした実施例を示す斜視図である。
【図１０】従来の上部演出ユニットの説明図であって、（ａ）は上部演出ユニットを構成するベース部材の要部の斜視図及び正面図、（ｂ）は上部演出ユニットを構成するレンズ部材の要部の底面図及び斜視図、（ｃ）は熱可塑性樹脂の射出成型における型抜き方向を示す概略斜視図である。
【図１１】従来の上部演出ユニットにおいて取付ボスを設けた場合の説明図であって、（ａ）は上部演出ユニットを構成するベース部材の要部の斜視図、（ｂ）は上部演出ユニットを構成するベース部材にレンズ部材を取り付けた透視状態を示す平面図である。
【符号の説明】
【００８５】
１００  スロットマシン
１０１  本体
１０２  前面扉
７００  上部演出ユニット
７１０  ユニット本体
７１１  開口部
７１２  ランプベース
７１３  開口
７１４  取付腕
７１５  案内孔
７２０  開口部
７２１  係止部
７２３  開口部
７３０  第１ベース面部
７４０  第２ベース面部
７４１  当接面
７４２  離隔面
７４３  なだらかな面
７５０  第３ベース面部
７５１  厚肉部
７５２  薄肉部
７６０  上ランプカバー
７６１  上面部分
７６２  案内片
７６３  開口
７７０  係止片部
７７１  係止爪
８００  上部演出ユニット
８１０  レンズ部材
８２０  ベース部材
８２２  ボス
８３０  金型
８７０  係止片部
【図１】
2008237694.tif 000003
【図２】
2008237694.tif 000004
【図３】
2008237694.tif 000005
【図４】
2008237694.tif 000006
【図５】
2008237694.tif 000007
【図６】
2008237694.tif 000008
【図７】
2008237694.tif 000009
【図８】
2008237694.tif 000010
【図９】
2008237694.tif 000011
【図１０】
2008237694.tif 000012
【図１１】
2008237694.tif 000013